(57)【要約】  【課題】簡単な構成で商品の滑り性を高めることができるとともに、仕切板の位置調整も容易に行うことのできるショーケース用の商品陳列棚を提供する。  【解決手段】ショーケース用の商品陳列棚３の棚板１１上面に、合成樹脂シートの表面に微小凹凸をスクリーン印刷した低摩擦合成樹脂シート２１を敷設するとともに、該低摩擦合成樹脂シート２１の上面に、棚板１１の前端又は後端に係合する係合部２３，２４を有する前後方向の仕切板２２を幅方向位置が調節可能に配置する。【選択図】図１
2009183347.tif 000002
【特許請求の範囲】
【請求項１】
棚板上面が前方に向かって傾斜した状態で設置されるショーケース用の商品陳列棚において、前記棚板の上面に低摩擦合成樹脂シートを敷設するとともに、該低摩擦合成樹脂シートの上面に、前記棚板の前端又は後端に係合する係合部を有する前後方向の仕切板を配置したことを特徴とするショーケース用の商品陳列棚。
【請求項２】
前記仕切板は、前端に前記棚板の前端に係合する前部係合部を有するとともに、後端に前記棚板の後端に係合する後部係合部を有し、前記前部係合部及び前記後部係合部を棚板の前端及び後端にそれぞれ係合させた状態で配置されることを特徴とする請求項１記載のショーケース用の商品陳列棚。
【請求項３】
前記低摩擦合成樹脂シートは、合成樹脂シートの表面に微小凹凸をスクリーン印刷したものであることを特徴とする請求項１又は２記載のショーケース用の商品陳列棚。
【請求項４】
前記微小凹凸は、前記低摩擦合成樹脂シートの両面にスクリーン印刷されていることを特徴とする請求項３記載のショーケース用の商品陳列棚。
【請求項５】
前記微小凹凸は、前記低摩擦合成樹脂シートの一面と他面とで印刷パターンが異なっていることを特徴とする請求項４記載のショーケース用の商品陳列棚。
【請求項６】
前記低摩擦合成樹脂シートの前後方向の寸法は、前記棚板の前後方向の寸法より短く形成され、低摩擦合成樹脂シートの後端を棚板後端に合わせて棚板上面に敷設されていることを特徴とする請求項１乃至５のいずれか１項記載のショーケース用の商品陳列棚。
【請求項７】
前記低摩擦合成樹脂シートは、半透明であることを特徴とする請求項１乃至６のいずれか１項記載のショーケース用の商品陳列棚。
【発明の詳細な説明】
【技術分野】
【０００１】
本発明は、ショーケース用の商品陳列棚に関し、特に、上面が前方に向かって傾斜した状態で設けられた棚板上に陳列した商品を自重で前方に移動させることのできる商品陳列棚に関する。
【背景技術】
【０００２】
従来から、スーパーマーケットやコンビニエンスストア等では、ＰＥＴボトル、缶、ビン、紙パック容器等の各種商品を陳列販売するためにショーケースが用いられている。
このようなショーケースに用いられる商品陳列棚として、棚上面に多数のローラを設けたり、棚板上面を滑り性かつ耐久性を備える表面仕様としたりすることにより、購買客によって棚前端の商品が取り出されたときに、棚後方に陳列された商品が自重で前方に移動するようにしたものが知られている（例えば、特許文献１，２参照）。
【特許文献１】特開２００１−２９１８６号公報
【特許文献２】特開２００５−２０４８１４号公報
【発明の開示】
【発明が解決しようとする課題】
【０００３】
しかし、特許文献１に記載されるように、多数のローラを設けるものでは、部品点数の増加から大幅なコストアップを避けることができず、ローラの保守にも多大な手間を必要とする。また、特許文献２に記載されるように、棚板上面を滑り性かつ耐久性を備える表面仕様とするのにも製造コストの上昇が避けられず、摩耗等で滑り性が失われたときには棚板全体を交換しなければならなかった。
【０００４】
さらに、陳列する商品の幅（直径）に合わせて商品間に仕切板を設けておかないと、商品の陳列状態が乱れるだけでなく、棚前方への移動も円滑に行われないことがある。
このため、従来の商品陳列棚では、仕切板の下方に突起を設け、この突起を棚板に設けた差し込み穴に挿入して位置決めすることが行われていたが、仕切板の間隔を商品に合わせて調整するためには差し込み穴を多数設けておかなければならず、製造コストの上昇を招いたり、棚板の強度低下を招くおそれがあった。
【０００５】
そこで本発明は、簡単な構成で商品の滑り性を高めることができるとともに、仕切板の位置調整も容易に行うことができ、コスト上昇を最小限に抑えることのできるショーケース用の商品陳列棚を提供することを目的とする。
【課題を解決するための手段】
【０００６】
上記の課題を解決するため本発明は、棚板上面が前方に向かって傾斜した状態で設置されるショーケース用の商品陳列棚において、前記棚板の上面に低摩擦合成樹脂シートを敷設するとともに、該低摩擦合成樹脂シートの上面に、前記棚板の前端又は後端に係合する係合部を有する前後方向の仕切板を配置したことを特徴とするもので、前記仕切板は、前端に前記棚板の前端に係合する前部係合部を有するとともに、後端に前記棚板の後端に係合する後部係合部を有し、前記前部係合部及び前記後部係合部を棚板の前端及び後端にそれぞれ係合させた状態で配置することが好ましい。
【０００７】
さらに、本発明のショーケース用の商品陳列棚では、前記低摩擦合成樹脂シートは、合成樹脂シートの表面に微小凹凸をスクリーン印刷したものが最適であり、前記微小凹凸は、シート片面であってもよいが、前記低摩擦合成樹脂シートの両面にスクリーン印刷されていることが好ましい。また、両面に微小凹凸を設ける場合、前記微小凹凸は、前記低摩擦合成樹脂シートの一面と他面とで印刷パターンが異なっていることが好ましい。加えて、前記低摩擦合成樹脂シートの前後方向の寸法を前記棚板の前後方向の寸法より短く形成し、低摩擦合成樹脂シートを棚板の前端まで敷設せずに、低摩擦合成樹脂シートの後端を棚板後端に合わせて棚板上面に敷設することができる。また、前記低摩擦合成樹脂シートは、半透明であることが好ましい。
【発明の効果】
【０００８】
本発明のショーケース用の商品陳列棚によれば、棚板上面に低摩擦合成樹脂シートを敷設するだけで棚板上に陳列した商品を自重で前方に移動させることができる。したがって、棚板には一般的なものを使用することができ、棚板への加工が不要であるから、コスト上昇を抑えることができる。また、仕切板は、棚板の前端や後端で係合した状態で配置されるので、位置調整を容易に行うことができる。
【０００９】
低摩擦合成樹脂シートは、合成樹脂シートの表面に微小凹凸をスクリーン印刷することで製造することができ、商品の底面状態に応じたパターンで微小凹凸を形成することによって最適な滑り性を得ることができる。また、低摩擦合成樹脂シートを棚板前端には敷設しないようにすることにより、低摩擦合成樹脂シートの使用量を少なくすることができる。さらに、低摩擦合成樹脂シートを半透明とすることにより、ショーケース内部が白色以外であっても違和感なく使用することができる。
【発明を実施するための最良の形態】
【００１０】
以下、本発明の一実施の形態について、図面に基づき説明する。
図１は本発明の一実施形態を示すショーケース用の商品陳列棚の分解斜視図、図２は同じく商品陳列棚の分解側面図、図３は組み立て状態の商品陳列棚を示す側面図、図４は仕切板の各形状例を示す斜視図、図５は複数の商品陳列棚を有するオープンショーケースの一例を示す断面側面図である。
【００１１】
まず、図５に示すように、オープンショーケース１は、前面に開口部を有するショーケース本体２の内部に上下複数段の商品陳列棚３を設けた商品陳列部４が形成されるとともに、ショーケース本体２の背面に背面ダクト５、下部に下部ダクト６，上部に上部ダクト７がそれぞれ形成され、背面ダクト５や下部ダクト６の部分に冷却器及び送風機（いずれも図示省略）が配置されている。オープンショーケース１の開口上方には、冷気を上部ダクト７から開口前面に下方に向けて吹き出すための冷気吹出口８が設けられ、開口下方には冷気吹出口８から吹き出された冷気を吸い込むための冷気吸込口９が設けられている。また、商品陳列部４の天井部や各商品陳列棚３の下面には、商品陳列部４に陳列した商品を照明するための蛍光ランプ等の光源１０が設けられている。
【００１２】
前記商品陳列棚３は、周知のように、薄板金属板からなる棚板１１の前端、後端及び幅方向両端を下方に折り曲げて前部補強部１２、後部補強部１３及び側部補強部１４をそれぞれ設けるとともに、下面の前後方向中間部には幅方向の補強部材１５が設けられ、幅方向両端には、後方に突出して商品陳列部４の背面に設けられた棚支持穴１６に係合するブラケット１７が設けられている。また、棚板１１の前端には、プライスレール１８と棚フェンス１９とが取り付けられ、前端部下面には下方の商品を照明するための前記光源１０として蛍光ランプが設けられている。プライスレール１８は、前部補強部１２の下辺に下部係合片１８ａを係合させた状態で取り付けられる。プライスレール１８と棚板１１の先端面との間には、棚フェンス１９を挿入するための挿入溝２０が形成されている。
【００１３】
このように形成された商品陳列棚３において、棚板１１の上面には、低摩擦合成樹脂シート２１が敷設されるとともに、該低摩擦合成樹脂シート２１の上面には、前後方向の仕切板２２が配置されている。低摩擦合成樹脂シート２１は、ポリエチレンテレフタレート等の合成樹脂シートの表面に、摩擦係数を小さくして商品の滑り性を向上させるための微小凹凸がスクリーン印刷によって形成され、この微小凹凸によって商品底面との摩擦抵抗を減少させることにより商品を滑りやすくしている。低摩擦合成樹脂シート２１の厚さは０．１〜０．５ｍｍ程度であり、棚長手方向（幅方向）の寸法は棚板上面の幅寸法と同一に形成され、棚前後方向（奥行き方向）は、棚板上面の奥行き寸法と同等又はそれよりもやや小さく形成されている。
【００１４】
このように形成した低摩擦合成樹脂シート２１は、棚板上面全体に敷設することもできるが、棚板上面の前端部は棚板上面が露出した状態になるように、棚板上面の後端部から前端部近くまで、商品１個分を除いた状態で敷設することもできる。これにより、棚板上面全体に低摩擦合成樹脂シート２１を敷設する場合に比べて低摩擦合成樹脂シート２１の必要量を低減することができ、低摩擦合成樹脂シート２１を用いる際のコスト上昇を抑えることができる。このとき、棚板上面の前端部に低摩擦合成樹脂シート２１を敷設しなくても、棚板上面の傾斜角度や低摩擦合成樹脂シート２１と商品底面との摩擦係数、滑りやすさを最適に設定することにより、低摩擦合成樹脂シート２１上に載置した商品は、自重によって棚板前端まで滑り落ち、後方の商品の重量によっても前方に押し出されるため、棚板前端に商品が存在しない状態になることはない。
【００１５】
さらに、低摩擦合成樹脂シート２１の微小凹凸をスクリーン印刷によって形成するため、様々な印刷パターンを容易に形成することができるので、低摩擦合成樹脂シート２１の両面の印刷パターンを異なるものとしておくことにより、陳列する商品の種類、例えば、ＰＥＴボトル、金属缶、紙パック等の商品の材質や底面形状に応じて上面となる面を選択することにより、最適な滑り具合を得ることができる。また、低摩擦合成樹脂シート２１は、透明、半透明あるいは各種着色を施したものとすることができるが、低摩擦合成樹脂シート２１を半透明とすることにより、ショーケース内部色が白色以外であっても違和感なく使用することができる。
【００１６】
前記仕切板２２は、隣接して陳列される商品間を仕切るものであって、所定形状の金属薄板を折り曲げて形成されている。仕切板２２の前端及び後端には、下方に向けて折り曲げられた前部係合部２３及び後部係合部２４がそれぞれ設けられている。なお、仕切板２２の上辺部及び下辺部には、薄板を使用して必要強度を得るための折り返し部を形成しておくことができる。
【００１７】
前部係合部２３は、図４にも示すように、仕切板２２の前端からケース幅方向に屈曲して下方に延びた板状の挿入片で形成することにより、前記棚フェンス１９の下部と重ね合わせた状態で前記挿入溝２０に挿入して係合させることができる。
【００１８】
一方、後部係合部２４は、棚板１１の後端形状に応じた形状に形成されるものであって、図１及び図４（ａ）に示すように、仕切板２２の後端下半部をケース幅方向に屈曲させた突出片２４ａの下部に棚板１１の後端部下面に係合する第１係合片２４ｂと後部補強部１３の下縁に係合する第２係合片２４ｃとを設けたものや、図４（ｂ）に示すように、仕切板２２の後端下縁から側方及び後方に突出して棚板後部上面に当接する上部当接片２４ｄと、この上部当接片２４ｄの後端から下方に屈曲して後部補強部１３の下縁に係合する下部係合片２４ｅとを設けた形状とすることができる。さらに、棚板１１の後端形状や棚板１１の奥行き寸法によっては、図４（ｃ）に示すように、仕切板２２の後部係合部を省略し、前部係合部２３を棚板前端に係合させるだけで仕切板２２を所定位置に配置することも可能である。
【００１９】
また、仕切板２２は、前部係合部２３や後部係合部２４を棚板１１の前後に着脱可能乃至幅方向にスライド可能に係合させているだけなので、陳列する商品の幅寸法に応じて任意に、かつ、容易に仕切板２２の幅方向位置を調節することができる。このようにして陳列する商品に応じて仕切板２２の位置調整を行うことにより、商品陳列棚１１上に陳列した商品を前後方向に確実に整列させることができ、商品の棚前方への移動を確実に行うことができる。
【００２０】
なお、本発明の商品陳列棚は、前記オープンショーケースだけではなく、ウォークインラックやゴンドラ等の各種ショーケースに適用することができる。
【図面の簡単な説明】
【００２１】
【図１】本発明の一実施形態を示すショーケース用の商品陳列棚の分解斜視図である。
【図２】同じく商品陳列棚の分解側面図である。
【図３】組み立て状態の商品陳列棚を示す側面図である。
【図４】仕切板の各形状例を示す斜視図である。
【図５】複数の商品陳列棚を有するオープンショーケースの一例を示す断面側面図である。
【符号の説明】
【００２２】
１    オープンショーケース
２    ショーケース本体
３    商品陳列棚
４    商品陳列部
５    背面ダクト
６    下部ダクト
７    上部ダクト
８    冷気吹出口
９    冷気吸込口
１０    光源
１１    棚板
１２    前部補強部
１３    後部補強部
１４    側部補強部
１５    補強部材
１６    棚支持穴
１７    ブラケット
１８    プライスレール
１８ａ    下部係合片
１９    棚フェンス
２０    挿入溝
２１    低摩擦合成樹脂シート
２２    仕切板
２３    前部係合部
２４    後部係合部
２４ａ    突出片
２４ｂ    第１係合片
２４ｃ    第２係合片
２４ｄ    上部当接片
２４ｅ    下部係合片
【図１】
2009183347.tif 000003
【図２】
2009183347.tif 000004
【図３】
2009183347.tif 000005
【図４】
2009183347.tif 000006
【図５】
2009183347.tif 000007